(57)【要約】【課題】電球型ＬＥＤランプを用いても外観体裁が良好な照明器具を提供する。【解決手段】照明空間に向けて突出されたソケット３３に電球形ＬＥＤランプ２が装着される器具本体３と、ソケット３３及び電球形ＬＥＤランプ２を囲繞する形状に形成され、器具本体３に取り付けられるグローブ４と、を具備してなる照明器具１において、グローブ４は、ソケット３３の側方を覆う領域Ｓ１に位置される第一透光部４１と、第一透光部４１と連続され、少なくとも電球形ＬＥＤランプ２の側方を覆う領域Ｓ２のうち電球形ＬＥＤランプ２のランプグローブ２３の側方を覆う領域に位置される第二透光部４２と、を有してなり、第一透光部４１の透過率よりも第二透光部４２の透過率を高くした。【選択図】図２
2012243394.tif 000002
【特許請求の範囲】
【請求項１】
照明空間に向けて突出されたソケットに電球形ＬＥＤランプが装着される器具本体と、前記ソケット及び電球形ＬＥＤランプを囲繞する形状に形成され、前記器具本体に取り付けられるグローブと、を具備してなる照明器具において、
前記グローブは、
前記ソケットの側方を覆う領域に位置される第一透光部と、
前記第一透光部と連続され、少なくとも前記電球形ＬＥＤランプの側方を覆う領域のうち前記電球形ＬＥＤランプの発光面の側方を覆う領域に位置される第二透光部と、を有してなり、
前記第一透光部の透過率よりも前記第二透光部の透過率を高くしたことを特徴とする照明装置。
【請求項２】
前記第一透光部は、前記ソケットの側方を覆い、かつ前記電球形ＬＥＤランプのホルダ部の側方の一部を覆う領域に位置され、
前記第二透光部は、少なくとも前記電球形ＬＥＤランプの側方を覆う領域のうち、前記電球形ＬＥＤランプの発光面の側方を覆い、かつホルダ部の側方の一部を覆う領域に位置される請求項１に記載の照明器具。
【請求項３】
前記第二透光部は、前記電球形ＬＥＤランプの側方を覆う領域のうち前記電球形ＬＥＤランプの配光領域を含む領域に位置される請求項１又は請求項２に記載の照明器具。
【請求項４】
前記第一透光部は、前記ソケットの突出方向に沿って凹凸部が形成される請求項１乃至請求項３のいずれか一項に記載の照明器具。
【発明の詳細な説明】
【技術分野】
【０００１】
本発明は、照明器具の技術に関し、より詳細には、照明空間に向けて突出されたソケットに電球形ＬＥＤランプが装着される器具本体と、前記器具本体に取り付けられるグローブと、を具備してなる照明器具に関する。
【背景技術】
【０００２】
従来、浴室、洗面所、居間、ロビーなどの天井面や壁面（造営面）に直接に取り付け又は吊り下げて使用される照明器具として、照明空間に向けて突出されたソケットに電球形ランプが装着される器具本体と、ソケット及び電球形ＬＥＤランプを囲繞する形状に形成され、器具本体に取り付けられるグローブとを具備してなる構成が公知である。また、近年では、そのような照明器具に使用される電球形ランプとして、光源にＬＥＤチップが実装された発光モジュールを備えた電球形ＬＥＤランプも用いられるようになっている。
【０００３】
ところで、上述した照明器具は、照明空間に向けて突出されたソケットに電球形ランプが装着されるため、造営面に対して電球形ランプが離れて位置されることにより、ソケットの側方や造営面方向に対する照明効果が低減して、電球形ランプを覆うグローブが造営面から浮き上がって見え、その際にソケットが暗い影部分となってグローブに映ってしまうなど、外観上の見栄えが悪くなるという課題があった。
【０００４】
かかる観点から、従来の照明器具として、例えば、特許文献１又は特許文献２に開示されるように、グローブを透過率の異なる二種以上の材料で形成するとともに、灯具前方を覆う領域に位置される部位の透過率よりもソケットの側方を覆う領域に位置される部位の透過率を高くするように形成した構成が公知となっている。かかる構成では、ソケットの側方を覆う領域に位置される部位の透過率を高くすることで、ソケットの側方及び造営面方向に向けて光を拡散させて外観体裁を良好にするようにしたものである。
【先行技術文献】
【特許文献】
【０００５】
【特許文献１】特開平９−１２９０１４号公報
【特許文献２】特開２００４−７１４０８号公報
【発明の概要】
【発明が解決しようとする課題】
【０００６】
しかしながら、従来の照明器具の構成では、一般照明用電球（白熱電球）や電球形蛍光ランプなどの電球型ランプの代わりに、新たに電球型ＬＥＤランプを装着して使用する場合には、かかる電球型ランプと比べた電球形ＬＥＤランプの配光特性により、上述した問題が依然として解消されない場合があった。
【０００７】
すなわち、電球形ＬＥＤランプは、通常、放熱効果を高めるため放熱フィンなどのヒートシンク部（ホルダ部）を備えるため、光を透過するガラス球部（ランプグローブ）の全体に占める割合が制限され、さらに光の配光角が狭いため、かかる電球形ＬＥＤランプの配光特性に基づいて照明器具が構成されない場合には、期待される配光を得ることができず、ホルダ部及びソケットの側方や造営面方向に対する照明効果が低減し、またホルダ部及びソケットが暗い影部分となってグローブに映ってしまうなど、外観上の見栄えが悪くなってしまうという問題が生じていた。
【０００８】
そこで、本発明では、照明器具に関し、前記従来の課題を解決するもので、電球型ＬＥＤランプを用いても外観体裁が良好な照明器具を提供することを目的とする。
【課題を解決するための手段】
【０００９】
本発明の解決しようとする課題は以上の如くであり、次にこの課題を解決するための手段を説明する。
【００１０】
すなわち、請求項１においては、照明空間に向けて突出されたソケットに電球形ＬＥＤランプが装着される器具本体と、前記ソケット及び電球形ＬＥＤランプを囲繞する形状に形成され、前記器具本体に取り付けられるグローブと、を具備してなる照明器具において、前記グローブは、前記ソケットの側方を覆う領域に位置される第一透光部と、前記第一透光部と連続され、少なくとも前記電球形ＬＥＤランプの側方を覆う領域のうち前記電球形ＬＥＤランプの発光面の側方を覆う領域に位置される第二透光部と、を有してなり、前記第一透光部の透過率よりも前記第二透光部の透過率を高くしたものである。
【００１１】
請求項２においては、前記第一透光部は、前記ソケットの側方を覆い、かつ前記電球形ＬＥＤランプのホルダ部の側方の一部を覆う領域に位置され、前記第二透光部は、少なくとも前記電球形ＬＥＤランプの側方を覆う領域のうち、前記電球形ＬＥＤランプの発光面の側方を覆い、かつホルダ部の側方の一部を覆う領域に位置されるものである。
【００１２】
請求項３においては、前記第二透光部は、前記電球形ＬＥＤランプの側方を覆う領域のうち前記電球形ＬＥＤランプの配光領域を含む領域に位置されるものである。
【００１３】
請求項４においては、前記第一透光部は、前記ソケットの突出方向に沿って凹凸部が形成されるものである。
【発明の効果】
【００１４】
本発明の効果として、電球型ＬＥＤランプを用いても外観体裁を良好とすることができる。
【図面の簡単な説明】
【００１５】
【図１】本発明の一実施例に係る照明器具の全体的な構成を示した側面図である。
【図２】照明器具の側断面図である。
【図３】別実施例の照明器具の側断面図である。
【発明を実施するための形態】
【００１６】
次に、発明を実施するための形態を説明する。
【００１７】
まず、本実施例の照明器具１の全体構成について、以下に概説する。
図１及び図２に示すように、本実施例の照明器具１は、浴室や洗面所などの壁面（造営面Ｗ）に取り付けて使用される照明器具として構成されており、具体的には、照明空間に向けて突出されたソケット３３に電球形ＬＥＤランプ２が装着される器具本体３と、前記ソケット３３及び電球形ＬＥＤランプ２を囲繞する形状に形成され、器具本体３に取り付けられるグローブ４等とで構成されている。
【００１８】
電球形ＬＥＤランプ２は、光源にＬＥＤ素子が実装された発光モジュール２０を備えた公知の構成が採用され、本実施例では、金属材料より形成され一端側に発光モジュール２０が配設されたホルダ部２１と、ホルダ部２１の他端側に配設された口金２２と、発光モジュール２０を覆ってホルダ部２１の一端側に取り付けられたランプグローブ２３等とで構成されている。電球形ＬＥＤランプ２は、口金２２がソケット３３内に螺挿されて装着され、照明空間内にホルダ部２１及びランプグローブ２３が露出される。
【００１９】
発光モジュール２０は、例えば、アルミニウムなどの金属材料又はセラミックスなどの絶縁材料などで形成された基板上に、配線パターンが形成されるとともに、複数の半導体発光素子としての図示せぬＬＥＤチップがマトリックス状に配列されて実装されている。本実施例の電球形ＬＥＤランプ２は、ソケット３３に装着されることで発光モジュール２０の複数のＬＥＤチップに電力が供給されて発光され、ランプグローブ２３を発光面として照射光が拡散放射される。
【００２０】
ホルダ部２１は、熱伝導性に優れた例えばアルミニウムなどの金属材料によって一体形成さており、一端側が略水平面状に形成され、かかる一端側の中央部に発光モジュール２０が配設される。ホルダ部２１の周側面には、ランプ軸方向に沿って図示せぬ複数の放熱フィン（ヒートシンク）が放射状に突出形成され、この放熱フィンを覆うようにしてカバー体が取り付けられている。また、ランプグローブ２３は、光拡散性を有するガラス又は合成樹脂等で形成され、発光モジュール２０を覆うようにして半球面状に形成されている。
【００２１】
本実施例の照明器具１で用いられる電球形ＬＥＤランプ２は、全般配光形や準全般配光形、広角配光形、中角配光形、及び挟角配光形のいずれかの配光特性を有するランプを用いることができ、好ましくは全般配光形や準全般配光形のランプが用いられる。ここで、全般配光形とは、口金上方鉛直点灯時の下方照度の１／２の範囲（配光角）が１８０度以上のランプのことをいい、準全般配光形とは、配光角が９０度以上１８０度未満のランプのことである。また、広角配光形とは、配光角が３０度以上９０度未満のランプのことをいい、中角配光形とは、配光角が１５度以上３０度未満のランプのことをいい、挟角配光形とは、配光角が１５度未満のランプのことをいう。なお、以下の実施例では、電球形ＬＥＤランプ２が準全般配光形のランプを用いた場合について説明されている。
【００２２】
器具本体３は、基台部３０の周縁に立ち上がり部３１が立設され、立ち上り部３１の端部に雄ねじ３１ａが形成されている。基台部３０の中央部には、基台部３０表面に立設された支持部３２が配設され、支持部３２にソケット３３が基台部３０に対して垂直になるように取り付けられている。器具本体３０は、図示せぬねじ等の固定止具によって造営面Ｗに取り付けられる。
【００２３】
次に、グローブ４の構成について、以下に詳述する。
図２に示したように、グローブ４は、照明空間に位置される電球形ＬＥＤランプ２及びソケット３３を囲繞する形状に形成される。具体的には、グローブ４は、開口周縁部に形成された取付部４０と、取付部４０と連続され、ソケット３３の側方を覆う領域Ｓ１に位置される第一透光部４１と、第一透光部４１と連続され、少なくとも電球形ＬＥＤランプ２の側方を覆う領域Ｓ２のうち電球形ＬＥＤランプ２のランプグローブ２３の側方を覆う領域に位置される第二透光部４２とを有してなる。
【００２４】
取付部４０は、光の透過率の高い略透明なガラスや合成樹脂等で形成され、グローブ４の開口周縁部より内部空間内に向けて屈曲しながら延出され、内部空間外側と連通される凹溝部４０ａが形成されている。このように取付部４０が形成されることで、グローブ４を造営面Ｗに接近させて取り付けることができる。
【００２５】
取付部４０の端部の外周面（内部空間外側面）には、雄ねじ４０ｂが螺刻されている。グローブ４の雄ねじ４０ｂが器具本体３の雄ねじ３１ａに螺合されることで、器具本体３の立ち上がり部３１がグローブ４の凹溝部４０ａに入り込む状態となって、器具本体３にグローブ４が取り付けられる。また、凹溝部４０ａには、パッキン部材４３が設けられており、パッキン部材４３に器具本体３の立ち上がり部３１が圧着されることで、グローブ４の内部空間の気密性が高められている。
【００２６】
第一透光部４１は、光の透過率の高い略透明のガラスや合成樹脂等で形成され、取付部４０と連続された断面円形の筒状体として形成されている。本実施例のグローブ４では、取付部４０と第一透光部４１とが同一の材料より一体成形されている。第一透光部４１の外周面には、造営面との接触面（底面）から第二透光部４２に至る間に凹凸部４４が形成されている。凹凸部４４は、器具本体３にグローブ４が取り付けられた状態でソケット３３の突出方向に沿うようにして複数のリブ４４ａ・４４ａ・・・が延出されている。リブ４４ａ・４４ａ・・・は、第一透光部４１の周面方向に沿って所定間隔で離間するようにして形成されている。
【００２７】
第二透光部４２は、第一透光部４１よりも透過率が低い半透明又は乳白色のガラスや合成樹脂等で形成され、第一透光部４１と連続された有底円筒体として形成されている。本実施例の照明器具１では、第二透光部４２が有底円筒体に形成されるため、第二透光部４２により電球形ＬＥＤランプ２の側方だけでなく前方も覆われる。また、第二透光部４２は、第一透光部４１と熱溶融や接着剤等により接合される。
【００２８】
本実施例の照明器具１は、第一透光部４１により、照明空間においてソケット３３の側方が覆われ、かつ電球形ＬＥＤランプ２のホルダ部２１の側方の一部が覆われるとともに、第二透光部４２により、少なくとも電球形ＬＥＤランプ２のランプグローブ２３の側方が覆われ、かつ電球形ＬＥＤランプ２のホルダ部２１の側方の一部が覆われており、ソケット３３及び電球形ＬＥＤランプ２の側方が円周方向に沿って囲繞され、第一透光部４１及び第二透光部４２により照明空間が区画して覆われている。
【００２９】
具体的には、本実施例のグローブ４は、器具本体３にグローブ４が取り付けられた状態で、第一透光部４１がソケット３３の側方（図２の紙面上下方向）を円周方向に沿って覆う領域Ｓ１に位置され、第二透光部４２が少なくとも電球形ＬＥＤランプ２の側方（図２の紙面上下方向）を覆う領域Ｓ２であってランプグローブ２３の側方を覆う領域に位置されるように構成されている。なお、図２に示したように、電球形ＬＥＤランプ２において配光角θが９０度以上１８０度未満であるため、第二透光部４２が電球形ＬＥＤランプの側方を覆う領域Ｓ２のうち電球形ＬＥＤランプ２の配光領域を含む領域に位置される。
【００３０】
電球形ＬＥＤランプ２に対する第一透光部４１及び第二透光部４２の境界Ｂ（連続箇所）の相対位置について説明すると、本実施例の照明器具１では、電球形ＬＥＤランプ２のホルダ部２１の側方に第一透光部４１及び第二透光部４２の境界Ｂが位置され、かかる境界Ｂが電球形ＬＥＤランプ２のホルダ部２１を通る造営面Ｗに対して平行な平面上に位置される。すなわち、電球形ＬＥＤランプ２のホルダ部２１においては、第一透光部４１によりソケット３３（口金２２）方向の側方を覆われ、第二透光部４２によりランプグローブ２３方向の側方が覆われる。
【００３１】
ただし、第一透光部４１及び第二透光部４２との境界Ｂは、電球形ＬＥＤランプ２の光の量（全光束）、配光特性、形状、又はグローブ４の形状などに応じて、電球形ＬＥＤランプ２のホルダ部２１の側方に位置される範囲内で適宜変更される（後述する図３参照）。
【００３２】
以上のように、本実施例の照明器具１は、照明空間に向けて突出されたソケット３３に電球形ＬＥＤランプ２が装着される器具本体３と、ソケット３３及び電球形ＬＥＤランプ２を囲繞する形状に形成され、器具本体３に取り付けられるグローブ４と、を具備してなる照明器具１において、グローブ４は、ソケット３３の側方を覆う領域Ｓ１に位置される第一透光部４１と、第一透光部４１と連続され、少なくとも電球形ＬＥＤランプ２の側方を覆う領域Ｓ２のうち電球形ＬＥＤランプ２のランプグローブ２３の側方を覆う領域に位置される第二透光部４２と、を有してなり、第一透光部４１の透過率よりも第二透光部４２の透過率を高くしたので、電球型ＬＥＤランプ２を用いても外観体裁を良好とすることができるのである。
【００３３】
すなわち、本実施例の照明器具１は、第一透光部４１の透過率よりも第二透光部４２の透過率が高いため、電球型ＬＥＤランプ２を点灯させると、ランプグローブ２３からの照射光が、第一透光部４１にてソケット３３の側方及び造営面Ｗの方向に向けて拡散され、グローブ４のソケット３３側の照度を確保してソケット３３が暗い影部分となってグローブ４に映ってしまうのを防止することができる。また、ランプグローブ２３からの照射光が、第二透光部４２にてランプグローブ２３の前方及び側方に向けて拡散され、人の目に直接入る光を暗くして眩しさを低減することができる。
【００３４】
特に、本実施例の照明器具１では、第一透光部４１が、ソケット３３の側方を覆い、かつ電球形ＬＥＤランプ２のホルダ部２１の側方の一部を覆う領域に位置され、第二透光部４２が、少なくとも電球形ＬＥＤランプ２の側方を覆う領域のうち、電球形ＬＥＤランプ２のランプグローブ２３の側方を覆い、かつホルダ部２１の側方の一部を覆う領域に位置されるため、従来の電球型ランプとは異なりホルダ部２１を有する電球形ＬＥＤランプ２の形状に対応して、ホルダ部２１及びソケット３３が暗い影部分となってグローブ４に映ってしまうのを効果的に防止できる。
【００３５】
また、本実施例の照明器具１では、第二透光部４２が、電球形ＬＥＤランプ２の側方を覆う領域のうち電球形ＬＥＤランプ２の配光領域を含む領域に位置されるため、電球型ＬＥＤランプ２の配光角が広い場合であっても、人の目に直接入る光を暗くして眩しさを低減することができる。
【００３６】
また、本実施例の照明器具１では、第一透光部４１において、ソケット３３の突出方向に沿って凹凸部４４が形成されるため、第一透光部４１を透過した電球形ＬＥＤランプ２の照射光が凹凸部４４にて充分に拡散させることができ、グローブ４のソケット３３側の照度を確保するとともに、外側から第一透光部４１を介してソケット３３の形状が確認できないようにして、外観体裁をより良好とすることができる。
【００３７】
なお、照明器具１の構成としては、上述した実施例に限定されず、本発明の目的を逸脱しない限りにおいて種々の変更が可能である。
【００３８】
すなわち、上述した実施例の照明器具１では、電球形ＬＥＤランプ２として、発光モジュール２０を覆うようにして半球面状に形成されたランプグローブ２３を有する構成について説明したが、かかる電球形ＬＥＤランプ２の形状については特に限定されない。例えば、図３に示す実施例のように、ランプグローブ２３が略球体状に形成されてもよい。図３に示す電球形ＬＥＤランプ２としては、配光角θが１８０度以上（約２００度）の全般配光形のランプが用いられている。ただし、図３に示す実施例においても、上述した実施例と同様に、好ましくは、第一透光部４１及び第二透光部４２が電球形ＬＥＤランプ２のホルダ部２１の側方に境界Ｂが位置される。
【００３９】
また、上述した実施例の照明器具１では、グローブ４として、一端側が閉止された有底円筒状に形成される構成について説明したが、かかるグローブ４の形状はこれに限定されず、例えば、開口周縁部に向けて徐々に縮径された形状や、略球体状や、端面がない略円筒形状などに形成されてもよい。
【００４０】
また、上述した実施例の照明器具１では、グローブ４の取付部４０として、グローブ４の開口周縁部より内部空間内に向けて屈曲しながら延出される構成について説明したが、かかる取付部４０の形状はこれに限定されず、例えば、開口周縁部から外部空間に向けて突出されるように形成されてもよい。また、器具本体３に対するグローブ４の取付構造としては、上述した実施例のように相互が螺合される構造だけでなく、ピン部材等により相互が締結される構造でもよい。
【００４１】
また、上述した実施例の照明器具１では、グローブ４の第一透光部４１に形成される凹凸部４４として、第一透光部４１の外周面に凹凸部４４が形成される構成について説明したが、第一透光部４１の内周面に形成されてもよい。また、上述した実施例では、凹凸部４４がソケット３３の突出方向に沿うようにして延出される複数のリブ４４ａ・４４ａ・・・より構成されているが、凹凸部４４の形状はこれに限定されず光の拡散性を高めるような形状であればよく、例えば、ソケット３３の突出方向に対して直交する方向に延出されてもよく、また複数のリブ４４ａ・４４ａ・・・の代わりにシボ加工が施されてもよい。
【符号の説明】
【００４２】
１        照明器具
２        電球形ＬＥＤランプ
３        器具本体
４        グローブ
２１      ホルダ部
２３      ランプグローブ（発光面）
３３      ソケット
４１      第一透光部
４２      第二透光部
４４      凹凸部
【図１】
2012243394.tif 000003
【図２】
2012243394.tif 000004
【図３】
2012243394.tif 000005